(57)【要約】【課題】コンテンツ信号の無線通信を行う場合に、相手の装置の登録や認証を安全で確実に行う。【解決手段】コンテンツ信号出力装置を接続するための通信装置２０のインタフェース２１と、コンテンツ提示装置を接続するための通信装置４０のインタフェース４２を有線で接続して、識別情報や鍵情報の交換を通信装置２０，４０で行う。その後、インタフェース２１から供給されたコンテンツ信号を無線信号としてアンテナ３１から送信し、アンテナ３２で受信されたコンテンツ信号をインタフェース４２からコンテンツ提示装置に供給する場合、交換された識別情報を、第２の無線信号として通信装置２０，４０で交換して、交換された識別情報を登録されている識別情報と照合して認証を行う。【選択図】        図４
2005244476.tif 000002
【特許請求の範囲】
【請求項１】
コンテンツ信号を出力するコンテンツ信号出力装置と、
有線インタフェースを介して前記コンテンツ信号出力装置と接続されているとき、該コンテンツ信号出力装置から出力されたコンテンツ信号を第１の無線信号として送信する第１の通信装置と、
前記第１の無線信号を受信して、該第１の無線信号からコンテンツ信号を生成する第２の通信装置と、
前記有線インタフェースを介して前記第２の通信装置と接続されて、該第２の通信装置で生成されたコンテンツ信号に基づいてコンテンツの提示を行うコンテンツ提示装置とを備え、
前記第１と第２の通信装置は、
前記有線インタフェースを介して前記第１と第２の通信装置が接続されたとき、保持している識別情報の交換を、前記有線インタフェースを介して行い、供給された識別情報を登録し、
前記コンテンツ信号の無線通信を行うとき、前記保持している識別情報を第２の無線信号として前記第１および第２の通信装置間で交換して、前記第２の無線信号を用いて供給された識別情報を登録されている前記識別情報と照合することにより認証を行う
ことを特徴とするコンテンツ通信システム。
【請求項２】
前記第１と第２の通信装置は、前記第２の無線信号として前記第１の無線信号よりも低い周波数帯を用いる
ことを特徴とする請求項１記載のコンテンツ通信システム。
【請求項３】
前記第１と第２の通信装置は、前記保持している識別情報を暗号化して前記第２の無線信号とし、該暗号化された識別情報を復号化するための鍵情報を、前記有線インタフェースを介した識別情報の交換時に交換する
ことを特徴とする請求項１記載のコンテンツ通信システム。
【請求項４】
前記有線インタフェースは、前記コンテンツ信号出力装置と前記コンテンツ提示装置を接続するために設けられたディジタルインタフェースである
ことを特徴とする請求項１記載のコンテンツ通信システム。
【請求項５】
有線インタフェースと、
前記有線インタフェースを介してコンテンツ信号出力装置から供給されたコンテンツ信号を第１の無線信号として送信する送信手段と、
情報の送受信を行う情報送受信手段と、
前記送信手段と情報送受信手段の動作を制御する制御手段を有し、
前記制御手段は、
前記有線インタフェースを介して通信装置が接続されたとき、保持している識別情報の交換を、前記有線インタフェースを介して行い、供給された識別情報を登録し、
前記有線インタフェースを介して前記コンテンツ信号出力装置が接続されて、該コンテンツ信号出力装置から供給されたコンテンツ信号を前記第１の無線信号として送信するとき、前記保持している識別情報を第２の無線信号として前記情報送受信手段から送信し、前記情報送受信手段で受信した無線信号から得られた識別情報を前記登録されている識別情報と照合して認証を行う
ことを特徴とする通信装置。
【請求項６】
前記情報送受信手段は、前記第２の無線信号として前記第１の無線信号よりも低い周波数帯を用いる
ことを特徴とする請求項５記載の通信装置。
【請求項７】
前記制御手段は、
前記有線インタフェースを介して通信装置が接続されたとき、前記保持している識別情報の交換を行う際に保持している鍵情報の交換も行い、供給された鍵情報を登録し、
前記保持している識別情報を第２の無線信号として前記情報送受信手段から送信する際には、前記保持している鍵情報に基づいて前記保持している識別情報を暗号化して前記第２の無線信号として送信し、前記情報送受信手段で受信された信号が暗号化されているときは、前記登録されている鍵情報に基づいて復号化を行う
ことを特徴とする請求項５記載の通信装置。
【請求項８】
前記有線インタフェースは、前記コンテンツ信号出力装置と前記コンテンツ提示装置を接続するために設けられたディジタルインタフェースである
ことを特徴とする請求項５記載の通信装置。
【請求項９】
有線インタフェースと、
第１の無線信号を受信してコンテンツ信号を生成して、前記有線インタフェースからコンテンツ提示装置に供給する受信手段と、
情報の送受信を行う情報送受信手段と、
前記受信手段と情報送受信手段の動作を制御する制御手段を有し、
前記制御手段は、
前記有線インタフェースを介して通信装置が接続されたとき、保持している識別情報の交換を、前記有線インタフェースを介して行い、供給された識別情報を登録し、
前記有線インタフェースを介して前記コンテンツ提示装置が接続されて、前記第１の無線信号を受信して前記コンテンツ信号を前記コンテンツ提示装置に供給するとき、前記保持している識別情報を第２の無線信号として前記情報送受信手段から送信し、前記情報送受信手段で受信した無線信号から得られた識別情報を前記登録されている識別情報と照合して認証を行う
ことを特徴とする通信装置。
【請求項１０】
前記情報送受信手段は、前記第２の無線信号として前記第１の無線信号よりも低い周波数帯を用いる
ことを特徴とする請求項９記載の通信装置。
【請求項１１】
前記制御手段は、
前記有線インタフェースを介して通信装置が接続されたとき、前記保持している識別情報の交換を行う際に保持している鍵情報の交換も行い、供給された鍵情報を登録し、
前記保持している識別情報を第２の無線信号として前記情報送受信手段から送信する際には、前記保持している鍵情報に基づいて前記保持している識別情報を暗号化して前記第２の無線信号として送信し、前記情報送受信手段で受信された信号が暗号化されているときは、前記登録されている鍵情報に基づいて復号化を行う
ことを特徴とする請求項９記載の通信装置。
【請求項１２】
前記有線インタフェースは、前記コンテンツ信号出力装置と前記コンテンツ提示装置を接続するために設けられたディジタルインタフェースである
ことを特徴とする請求項９記載の通信装置。
【請求項１３】
コンテンツ信号を出力するコンテンツ信号出力装置と、
有線インタフェースを介して前記コンテンツ信号出力装置と接続されて、該コンテンツ信号出力装置から出力されたコンテンツ信号を第１の無線信号として送信する第１の通信装置と、
前記第１の無線信号を受信して、該第１の無線信号からコンテンツ信号を生成する第２の通信装置と、
前記有線インタフェースを介して前記第２の通信装置と接続されて、該第２の通信装置で生成されたコンテンツ信号に基づいてコンテンツ提示を行うコンテンツ提示装置とを備えたコンテンツ通信システムにおいて、
前記有線インタフェースを介して前記第１と第２の通信装置を接続して、前記有線インタフェースを介した識別情報の交換を行い、
前記コンテンツ信号の無線通信時には、前記有線インタフェースを介して交換された識別情報を、第２の無線信号として前記第１および第２の通信装置間で交換して、前記第２の無線信号によって交換された識別情報を照合して認証を行う
ことを特徴とする認証方法。
【請求項１４】
前記第２の無線信号は前記第１の無線信号よりも低い周波数帯を用いる
ことを特徴とする請求項１３記載の認証方法。
【請求項１５】
前記第２の無線信号は暗号化された前記識別情報から生成するものとして、
前記暗号化された識別情報を復号化するための鍵情報を、前記有線インタフェースを介した識別情報の交換時に通知する
ことを特徴とする請求項１３記載の認証方法。
【発明の詳細な説明】
【技術分野】
【０００１】
この発明は、コンテンツ通信システムと通信装置および認証方法に関する。詳しくは、
コンテンツ信号出力装置と有線インタフェースを介して接続されるコンテンツ提示装置との間に、第１と第２の通信装置を設けてコンテンツ信号を通信装置間で無線通信するコンテンツ通信システムにおいて、有線インタフェースを介して第１と第２の通信装置を接続して識別情報の交換を行い、コンテンツ信号の無線通信時には、有線インタフェースを介して交換された識別情報を無線信号として第１および第２の通信装置間で交換して、認証を行うものである。
【背景技術】
【０００２】
近年、電子機器の小型軽量化や機器間の接続を容易とするため、無線通信技術が広く用いられるようになってきている。例えばコードレス電話のように親機と子機間の通信を無線信号で行うことにより、親機と離れた位置で自由に通話を行うことができる。また、映像コンテンツや音声コンテンツを再生する場合、コンテンツ信号出力装置とコンテンツ提示装置、例えば映像信号出力装置と映像表示装置を用いる場合、無線信号を利用して映像信号出力装置と映像表示装置を接続すれば、装置間を接続するケーブルが不要となり見栄えが良くなる。また、ケーブルの長さによって各装置のレイアウトが制限されてしまうこともない。
【０００３】
このように無線信号を用いて複数の装置を接続する場合、それぞれの装置で相手側の装置を登録して、登録されている特定の装置間だけで通信が行われるようになされている。
【０００４】
また、特許文献１では、無線接続を簡潔・確実に実現することができるように、パスワード入力などの操作を行うことなく入力スイッチのオン、オフ程度の簡単な操作だけで特定の装置間で無線接続を実現可能とする方法が開示されている。
【０００５】
【特許文献１】特開２００３−２３４９２０号公報
【発明の開示】
【発明が解決しようとする課題】
【０００６】
ところで、相手側の装置を登録する場合、登録処理を容易に行うことができるように、装置間で無線信号を用いて装置固有の情報の送受信が行われている。この場合、互いの装置を近接させたのち、送信出力レベルを低くして通信が行われる。しかし、無線信号の到達範囲は環境によって変化してしまい、到達範囲を視覚的に確認することもできないことから、別の装置に装置固有の情報が誤って登録されてしまうことが考えられる。
【０００７】
そこで、この発明では、コンテンツ信号の無線通信を行う場合に、相手の装置の登録や認証を安全で確実に行うことができるコンテンツ通信システムと通信装置および認証方法を提供するものである。
【課題を解決するための手段】
【０００８】
この発明に係るコンテンツ通信システムは、コンテンツ信号を出力するコンテンツ信号出力装置と、有線インタフェースを介してコンテンツ信号出力装置と接続されているとき、該コンテンツ信号出力装置から出力されたコンテンツ信号を第１の無線信号として送信する第１の通信装置と、第１の無線信号を受信して、該第１の無線信号からコンテンツ信号を生成する第２の通信装置と、有線インタフェースを介して第２の通信装置と接続されて、該第２の通信装置で生成されたコンテンツ信号に基づいてコンテンツの提示を行うコンテンツ提示装置とを備え、第１と第２の通信装置は、有線インタフェースを介して第１と第２の通信装置が接続されたとき、保持している識別情報の交換を、有線インタフェースを介して行い、供給された識別情報を登録し、コンテンツ信号の無線通信を行うとき、保持している識別情報を第２の無線信号として第１および第２の通信装置間で交換して、第２の無線信号を用いて供給された識別情報を登録されている識別情報と照合することにより認証を行うものである。
【０００９】
この発明に係る通信装置は、有線インタフェースと、有線インタフェースを介してコンテンツ信号出力装置から供給されたコンテンツ信号を第１の無線信号として送信する送信手段と、情報の送受信を行う情報送受信手段と、送信手段と情報送受信手段の動作を制御する制御手段を有し、制御手段は、有線インタフェースを介して通信装置が接続されたとき、保持している識別情報の交換を、有線インタフェースを介して行い、供給された識別情報を登録し、有線インタフェースを介してコンテンツ信号出力装置が接続されて、該コンテンツ信号出力装置から供給されたコンテンツ信号を第１の無線信号として送信するとき、保持している識別情報を第２の無線信号として情報送受信手段から送信し、情報送受信手段で受信した無線信号から得られた識別情報を登録されている識別情報と照合して認証を行うものである。
【００１０】
また、この発明に係る通信装置は、有線インタフェースと、第１の無線信号を受信してコンテンツ信号を生成して、有線インタフェースからコンテンツ提示装置に供給する受信手段と、情報の送受信を行う情報送受信手段と、受信手段と情報送受信手段の動作を制御する制御手段を有し、制御手段は、有線インタフェースを介して通信装置が接続されたとき、保持している識別情報の交換を、有線インタフェースを介して行い、供給された識別情報を登録し、有線インタフェースを介してコンテンツ提示装置が接続されて、第１の無線信号を受信してコンテンツ信号をコンテンツ提示装置に供給するとき、保持している識別情報を第２の無線信号として情報送受信手段から送信し、情報送受信手段で受信した無線信号から得られた識別情報を登録されている識別情報と照合して認証を行うものである。
【００１１】
この発明に係る認証方法は、コンテンツ信号を出力するコンテンツ信号出力装置と、有線インタフェースを介してコンテンツ信号出力装置と接続されて、該コンテンツ信号出力装置から出力されたコンテンツ信号を第１の無線信号として送信する第１の通信装置と、第１の無線信号を受信して、該第１の無線信号からコンテンツ信号を生成する第２の通信装置と、有線インタフェースを介して第２の通信装置と接続されて、該第２の通信装置で生成されたコンテンツ信号に基づいてコンテンツ提示を行うコンテンツ提示装置とを備えたコンテンツ通信システムにおいて、有線インタフェースを介して第１と第２の通信装置を接続して、有線インタフェースを介した識別情報の交換を行い、コンテンツ信号の無線通信時には、有線インタフェースを介して交換された識別情報を、第２の無線信号として第１および第２の通信装置間で交換して、第２の無線信号によって交換された識別情報を照合して認証を行うものである。
【００１２】
この発明においては、コンテンツ信号出力装置とコンテンツ提示装置を接続するために設けられたディジタルの有線インタフェースを介して第１と第２の通信装置が接続されたとき、保持している識別情報の交換が有線インタフェースを介して行われて、供給された識別情報が登録される。次に、第１の通信装置とコンテンツ信号出力装置が有線インタフェースを介して接続されて、また、第２の通信装置とコンテンツ提示装置が有線インタフェースを介して接続されて、コンテンツ信号出力装置から出力されたコンテンツ信号を第１の無線信号として送信し、第１の無線信号を受信して得られたコンテンツ信号に基づいてコンテンツ提示を行う場合、例えば保持している識別情報を暗号化して、第１の無線信号よりも低い周波数帯の第２の無線信号として第１および第２の通信装置間で交換し、供給された識別情報を登録されている識別情報と照合することで認証が行われる。
【発明の効果】
【００１３】
この発明によれば、有線インタフェースを介して第１と第２の通信装置を接続して、有線インタフェースを介した識別情報の交換が行われる。その後、コンテンツ信号の無線通信時には、有線インタフェースを介して交換された識別情報を、第２の無線信号として第１および第２の通信装置間で交換して、第２の無線信号によって交換された識別情報を照合して認証が行われる。このように、装置の登録は有線インタフェースを介して行われることから、誤って他の装置に装置固有の識別情報が登録されてしまうことがなく、所望の通信装置間で正しく無線通信を行うことができる。
【００１４】
また、第２の無線信号は第１の無線信号よりも低い周波数帯を用いるものとすれば、高い周波数帯で送受信を行う必要がないことから、通信装置を安価に構成できる。
【００１５】
更に、第２の無線信号は暗号化された識別情報から生成するものとして、暗号化された識別情報を復号化するための鍵情報を、有線インタフェースを介した識別情報の交換時に通知することにより、無線通信される識別情報の秘匿性を高めることができる。
【００１６】
また、有線インタフェースとして、コンテンツ信号出力装置とコンテンツ提示装置を接続するために設けられたディジタルインタフェースを用いるものとすれば、識別情報や鍵情報を交換するためのインタフェースを通信装置に新たに設ける必要がなく、通信装置を安価に構成できる。
【発明を実施するための最良の形態】
【００１７】
以下、図を参照しながら、この発明の実施の一形態について説明する。図１はコンテンツ通信システムの構成を示すブロック図である。コンテンツ信号出力装置例えば映像信号出力装置１０は、放送信号の受信や記録媒体の再生を行い映像信号を生成して出力する。また、映像信号出力装置１０は、生成した映像信号に対して種々の情報を示す映像信号を重畳させて出力する。コンテンツ提示装置である映像表示装置５０は、映像信号出力装置１０から供給された映像信号に基づいて映像表示を行う。
【００１８】
この映像信号出力装置１０と映像表示装置５０は、有線インタフェースを介して接続されるものであり、映像信号出力装置１０は映像信号を映像伝送に適した伝送方式の信号として有線インタフェースを介して出力する。例えば、映像伝送に適した伝送方式として、ＴＭＤＳ(米国SiliconImage社の登録商標):Transition Minimized Differential Signalingと呼ばれるシリアル伝送方式を用いる。また、有線インタフェースとして、ＤＶＩ（Digital Display Working Groupの登録商標):Digital Visual Interfaceと呼ばれるディジタルインタフェースや、ＨＤＭＩ(HDMI Licensing,LLCの登録商標):High Definition Multimedia Interfaceと呼ばれるディジタルインタフェースを用いる。
【００１９】
映像表示装置５０は、有線インタフェースを介して供給された信号に基づいて表示素子を駆動することにより映像表示を行う。
【００２０】
このように構成された映像信号出力装置１０と映像表示装置５０との間に通信装置２０，４０を設けることで、映像信号出力装置１０から映像表示装置５０に対して映像信号を無線信号として送信することにより、映像信号出力装置１０と映像表示装置５０を離れた位置に設置可能とする。通信装置２０，４０は、超高精細映像や高品位の動映像を伝送することができるように、例えばミリ波帯である６０ＧＨｚ帯の周波数を用いて映像信号の無線通信を行う。また、通信装置２０と通信装置４０との間では、映像表示装置５０に関する情報や映像表示装置５０を制御するための制御情報等の無線通信も行う。これらの情報の無線通信は、ミリ波帯を用いても良く、また動映像等のように高い伝送速度を必要としないことから、ミリ波帯よりも低い周波数帯、例えば無線ＬＡＮ等で用いられているマイクロ波帯の周波数を用いることができる。
【００２１】
図２は、映像送信側の通信装置２０の構成を示すブロック図である。映像信号出力装置１０から通信装置２０のインタフェース部２１に供給されたシリアル伝送信号やクロック信号は、送信部２２の送信信号処理部２２１に供給される。
【００２２】
送信信号処理部２２１は、クロック信号を基準としてシリアル伝送信号のデコード処理を行い、シリアル伝送信号を元の映像信号に戻す。また、映像信号の所定量毎に誤り訂正符号例えばリードソロモン符号を付加してパケット単位の信号とする。このパケット単位の信号を複数パケットまとめてフレーム構造の信号として、このフレーム構造の信号に同期信号や送信先等を示すヘッダ情報等を付加して送信映像信号を生成し、送信処理部２２２に供給する。
【００２３】
送信処理部２２２は、供給された送信映像信号を変調して、無線通信で使用する周波数帯例えば６０ＧＨｚ帯の信号にアップコンバートしたのち増幅してアンテナ３１に供給し、無線信号として送信する。
【００２４】
情報送受信部２３の情報信号処理部２３１は、インタフェース部２１を介して供給された情報信号や後述する制御部２４から供給された情報信号に基づき送信情報信号を生成して送受信処理部２３２に供給する。送受信処理部２３２は、供給された送信情報信号を変調してアップコンバートしたのち、送信処理部２２２から送信される無線信号よりも低い周波数帯の無線信号、例えば２．４ＧＨｚ帯や５ＧＨｚ帯の無線信号としてアンテナ３３から送信する。また、送受信処理部２３２は、アンテナ３３で受信された無線信号のダウンコンバートや復調を行い、得られた受信情報信号を情報信号処理部２３１に供給する。情報信号処理部２３１は、送受信処理部２３２から供給された受信情報信号の振り分けを行い、受信情報信号が映像信号出力装置１０に供給する信号であるときは、この受信情報信号を映像信号出力装置１０との通信に対応した情報信号としてインタフェース部２１に供給して、インタフェース部２１から出力する。また、受信情報信号が他の通信装置との認証用の信号であるときは、この受信情報信号を制御部２４に供給する。
【００２５】
制御部２４は、バス２５を介して各部と接続されており、映像信号の無線送信や情報信号の無線による送受信が正しく行われるように各部の動作を制御する。また、インタフェース部２１にケーブルを介して他の通信装置を接続して装置登録を行うときは、各通信装置が保持している装置固有の識別情報を、制御部２４からインタフェース部２１を介して他の通信装置に供給する。また、他の通信装置から識別情報が供給されたときは、供給された識別情報を制御部２４で登録する。さらに、識別情報を示す情報信号を情報送受信部２３に供給して無線信号で送信する際に、識別情報を暗号化して送信するときは、この暗号化されている識別情報の復号化に用いる鍵情報を、インタフェース部２１を介して他の通信装置に供給する。他の通信装置から鍵情報が供給されたときは、供給された鍵情報を制御部２４で登録する。
【００２６】
図３は、映像受信側の通信装置４０の構成を示すブロック図である。アンテナ３２で受信された無線信号は、受信部４１の受信処理部４１１に供給される。
【００２７】
受信処理部４１１は、受信した無線信号のダウンコンバートや復調を行い、得られた受信映像信号を受信信号処理部４１２に供給する。また、受信処理部４１１は、受信した無線信号の信号レベルを示す情報を生成して、制御部４４に供給する。
【００２８】
受信信号処理部４１２は、受信映像信号のヘッダ情報に基づき自己宛の受信映像信号を抽出する。さらに抽出した受信映像信号に対して誤り訂正処理を行う。この誤り訂正処理後の受信映像信号を映像伝送に適した伝送方式の伝送信号としてインタフェース部４２を介して映像表示装置５０に供給する。また、受信信号処理部４１２は、誤り訂正処理を行う際に誤り率を測定し、測定結果を制御部４４に供給する。
【００２９】
情報送受信部４３の情報信号処理部４３１は、インタフェース部４２を介して供給された情報信号に基づき送信情報信号を生成して送受信処理部４３２に供給する。送受信処理部４３２は、供給された送信情報信号を変調してアップコンバートしたのち、上述のアンテナ３３から送信される無線信号と等しい周波数帯の無線信号としてアンテナ３４から送信する。また、送受信処理部４３２は、アンテナ３４で受信された無線信号のダウンコンバートや復調を行い、得られた受信情報信号を情報信号処理部４３１に供給する。情報信号処理部４３１は、送受信処理部４３２から供給された受信情報信号の振り分けを行い、受信情報信号が映像表示装置５０に供給する信号であるときは、この受信情報信号を映像表示装置５０との通信に対応した情報信号としてインタフェース部４２に供給して、インタフェース部４２から出力する。また、受信情報信号が他の通信装置との認証用の信号であるときは、この受信情報信号を制御部４４に供給する。
【００３０】
制御部４４は、バス４５を介して各部と接続されており、映像信号の無線送信や情報信号の無線による送受信が正しく行われるように各部の動作を制御する。また、無線通信を行う相手先の装置を登録する処理や、無線通信を行う際の相手側の通信装置の認証処理を行う。
【００３１】
制御部４４は、バス２５を介して各部と接続されており、映像信号の無線送信や情報信号の無線による送受信が正しく行われるように各部の動作を制御する。また、インタフェース部４２にケーブルを介して他の通信装置を接続して装置登録を行うときは、各通信装置が保持している装置固有の識別情報を、制御部４４からインタフェース部４２を介して他の通信装置に供給する。他の通信装置から識別情報が供給されたときは、供給された識別情報を制御部４４で登録する。さらに、識別情報を示す情報信号を情報送受信部４３に供給して無線信号で送信する際に、識別情報を暗号化して送信するときは、この暗号化されている識別情報の復号化に用いる鍵情報を、インタフェース部４２を介して他の通信装置に供給する。他の通信装置から鍵情報が供給されたときは、供給された鍵情報を制御部４４で登録する。
【００３２】
アンテナ３３，３４間で無線通信される情報信号では、リモートコントロール情報、映像信号出力装置１０と映像表示装置５０との間で交換される動作状態に関する情報、通信装置２０と通信装置４０間で認証を行うための情報等が示される。
【００３３】
このように構成された通信装置２０と通信装置４０で、装置登録動作を行うときには、図４に示すように、通信装置２０のインタフェース部２１と通信装置４０のインタフェース部４２をケーブル３５で接続して装置登録動作を開始する。
【００３４】
図５は、通信装置２０，４０で行われる装置登録動作を示すフローチャートである。ケーブル３５によって通信装置２０，４０が接続された後、通信装置２０あるいは通信装置４０に設けられた装置登録用のスイッチ（図示せず）がユーザーによって操作されたとき、或いは装置の接続を自動的に認識するものとして、装置の接続が認識された場合、通信装置２０，４０の制御部２４，４４は、動作モードを装置登録モードとして装置登録動作を開始する。なお、動作モードを装置登録モードに切り換えて、映像信号の通信を行う動作モードとは異なる動作モードに設定すれば、映像信号の通信を行う動作モードにおいて設定されているコマンドとは異なるコマンドを、ディジタルインタフェースを介して伝送することが可能となり、映像信号の通信を行う動作モードにおいて装置の登録を行うコマンドが設定されていなくとも、通信装置２０，４０間で装置登録動作を行うことができる。
【００３５】
ステップＳＴ１で制御部２４，４４は、識別情報受信フラグと識別情報送信フラグをリセットしてステップＳＴ２に進む。
【００３６】
ステップＳＴ２で制御部２４，４４は、識別情報送信フラグがセットされているかどうか判別する。ここで、セットされているときはステップＳＴ６に進む。また、セットされていないときはステップＳＴ３に進み、識別情報の送信を行う。識別情報は、装置毎に異なる情報であり、例えば装置毎に異なって割り当てられた装置番号を送信する。
【００３７】
ステップＳＴ４で制御部２４，４４は、正常に受信したことを示すアクノリッジ信号を受信したか否かを判別し、アクノリッジ信号を受信していないときはステップＳＴ４に戻り、アクノリッジ信号を受信したときはステップＳＴ５で識別情報送信フラグをセットしてステップＳＴ２に戻る。
【００３８】
識別情報の送信が完了して識別情報送信フラグがセットされたことによりステップＳＴ２からステップＳＴ６に進むと、ステップＳＴ６で制御部２４，４４は、識別情報受信フラグがセットされているか否か判別する。ここで、セットされているときは、識別情報の送受信が終了しているので装置登録動作を終了する。また、識別情報受信フラグがセットされていないときはステップＳＴ７に進む。
【００３９】
ステップＳＴ７で制御部２４，４４は、識別情報の受信があったか否かを判別する。ここで、識別情報を受信していないときはステップＳＴ２に戻り、識別情報を受信したときはステップＳＴ８に進む。
【００４０】
ステップＳＴ８で制御部２４，４４は、識別情報の登録を行い、受信した識別情報をメモリ等に記憶してステップＳＴ９に進む。
【００４１】
ステップＳＴ９で制御部２４，４４は、アクノリッジ信号を送信してステップＳＴ１０に進み、識別情報受信フラグをセットしてステップＳＴ２に戻る。
【００４２】
図６は、通信装置２０と通信装置４０間で行われる装置登録のシーケンスを示している。なお図６では、通信装置２０から装置登録動作を開始する場合を示しているが、通信装置４０から開始するものとしても良い。
【００４３】
通信装置２０は、保持している識別情報を、制御部２４からインタフェース部２１およびケーブル３５を介して通信装置４０に送信する。また、識別情報を無線信号として送信する場合、無線信号が受信されても識別情報を容易に判別することができないように、識別情報を暗号化して無線信号として送信するときは、暗号化されている識別情報の復号化で用いる鍵情報を識別情報とともに送信する。
【００４４】
通信装置４０の制御部４４は、通信装置２０から供給された識別情報や鍵情報をメモリ等に記憶して、識別情報や鍵情報の登録を行う。また、識別情報や鍵情報を正常に受信したことを示すアクノリッジ信号を、制御部４４からインタフェース部４２およびケーブル３５を介して通信装置２０に送信する。
【００４５】
次に、通信装置４０は、保持している識別情報を、制御部４４からインタフェース部４２およびケーブル３５を介して通信装置２０に送信する。また、通信装置４０から識別情報等を暗号化して無線信号として送信するときは、鍵情報を識別情報とともに送信する。
【００４６】
通信装置２０の制御部２４は、通信装置４０から供給された識別情報や鍵情報を登録する。また、識別情報や鍵情報を正常に受信したことを示すアクノリッジ信号を、制御部２４からインタフェース部２１およびケーブル３５を介して通信装置４０に送信する。
【００４７】
このようにして、通信装置２０，４０は、識別情報や鍵情報の送信後にアクノリッジ信号を受信することで、識別情報や鍵情報が接続先の通信装置に登録されたことを互いに確認できる。また、アクノリッジ信号を送信する際に、識別情報や鍵情報を合わせて送信すれば、装置登録動作を効率良く行うことができる。
【００４８】
このような情報の交換処理を行うことで、相手側の通信装置を登録することができる。また、登録されている通信装置との通信の秘匿性を高めることができる。
【００４９】
ここで、映像信号出力装置１０と映像表示装置５０がＤＶＩインタフェースで接続される場合、通信装置２０のインタフェース部２１と通信装置４０のインタフェース部４２は、ＤＶＩインタフェースに対応したものとして、通信装置２０と通信装置４０をＤＶＩインタフェースで接続する。ＤＶＩインタフェースでは、ＴＭＤＳ方式の伝送路とＤＤＣ(Video Electronics Standards Associationの登録商標):Display Data Channelと呼ばれる情報通信用の伝送路が設けられている。このため、ＤＤＣを用いて識別情報や鍵情報の伝送を容易に行うことができる。
【００５０】
また、映像信号出力装置１０と映像表示装置５０がＨＤＭＩインタフェースで接続される場合、通信装置２０と通信装置４０をＨＤＭＩインタフェースで接続する。ＨＤＭＩインタフェースでは、ＴＭＤＳ方式の伝送路とＤＤＣと呼ばれる伝送路とＣＥＣ(Consumer Electronics Control）Lineと呼ばれる制御信号用の伝送路が設けられている。このため、ＤＤＣやＣＥＣLineを用いて識別情報や鍵情報の伝送を容易に行うことができる。
【００５１】
また、映像信号出力装置１０と映像表示装置５０の接続に、上述のディジタルインタフェースとは異なるインタフェースの伝送路が設けられている場合、例えば赤外線リモートコントロールの操作に相当する制御を有線で行えるようにインタフェースが設けられている場合、このインタフェースを用いて、通信装置２０と通信装置４０間で非同期シリアル通信等によって識別情報や鍵情報の伝送を行うことができる。
【００５２】
なお、ＤＤＣやＣＥＣLine等を用いて通信できるコマンド等が規定されており、識別情報や鍵情報の通信用のコマンドがない場合、制御部２４，４４にモード切替スイッチを設けて、識別情報や鍵情報の通信用の動作モードに切り換えれば、識別情報や鍵情報の通信用のコマンドが設定されていなくとも、ＤＤＣやＣＥＣLine等を用いて識別情報や鍵情報の通信を行うことができる。
【００５３】
次に、映像送信側の通信装置２０と映像受信側の通信装置４０間で、無線通信を行う前に実施する認証動作について説明する。図７は、無線信号で接続される一方の通信装置の認証動作を示すフローチャートであり、図８は、無線信号で接続される他方の通信装置の認証動作を示すフローチャートである。
【００５４】
ここで、一方の通信装置を通信装置２０、他方の通信装置を通信装置４０とした場合、図７のステップＳＴ１１で制御部２４は、識別情報を無線信号としてアンテナ３３から送信してステップＳＴ１２に進む。
【００５５】
ステップＳＴ１２で制御部２４は、アンテナ３３で無線信号を受信して、正常に受信したことを示すアクノリッジ信号が得られたか否か判別する。ここで、アクノリッジ信号が得られていないときはステップＳＴ１２に戻り、アクノリッジ信号が得られたときはステップＳＴ１３に進む。
【００５６】
ステップＳＴ１３で制御部２４は、アンテナ３３で無線信号を受信して識別情報が得られたか否か判別する。ここで、識別情報が得られていないときはステップＳＴ１３に戻り、識別情報が得られたときはステップＳＴ１４に進む。
【００５７】
ステップＳＴ１４で制御部２４は、受信した識別情報と、既に登録されている通信装置の識別情報を照合する。ここで、受信した識別情報が、既に登録されている通信装置の識別情報と一致して、登録済みと判別したときはステップＳＴ１５に進み、アンテナ３３からアクノリッジ信号を送信してステップＳＴ１６に進む。また一致しないときは登録済みでない判別してステップＳＴ１７に進む。
【００５８】
ステップＳＴ１６で制御部２４は、登録された通信装置との無線通信であると判別して認証動作を終了する。また、ステップＳＴ１７では、登録されていない通信装置との無線通信あると判別して認証動作を終了する。
【００５９】
図８のステップＳＴ２１で制御部４４は、アンテナ３４で無線信号を受信して識別情報が得られたか否か判別する。ここで、識別情報が得られていないときはステップＳＴ２１に戻り、識別情報が得られたときはステップＳＴ２２に進む。
【００６０】
ステップＳＴ２２で制御部４４は、受信した識別情報が登録済みであるか否かを判別する。ここで、受信した識別情報が、既に登録されているときにはステップＳＴ２３に進む。また登録されていないときはステップＳＴ２８に進む。
【００６１】
ステップＳＴ２３で制御部４４は、アンテナ３４からアクノリッジ信号を送信してステップＳＴ２４に進み、識別情報が登録済みであることを示してステップＳＴ２５に進む。
【００６２】
ステップＳＴ２５で制御部４４は、識別情報を無線信号としてアンテナ３４から送信してステップＳＴ２６に進む。
【００６３】
ステップＳＴ２６で制御部４４は、アンテナ３４で無線信号を受信してアクノリッジ信号が得られたか否か判別する。ここで、アクノリッジ信号が得られていないときはステップＳＴ２６に戻り、アクノリッジ信号が得られたときはステップＳＴ２７に進む。
【００６４】
ステップＳＴ２７で制御部４４は、登録された通信装置との無線通信であると判別して認証動作を終了する。
【００６５】
受信した識別情報が登録されておらずステップＳＴ２２からステップＳＴ２８に進むと、識別情報が登録されていないことを示してステップＳＴ２９に進み、登録されていない通信装置との無線通信あると判別して認証動作を終了する。
【００６６】
図９は、通信装置２０と通信装置４０間で行われる認証動作のシーケンスを示している。なお図９では、通信装置２０から認証動作を開始する場合を示しているが、通信装置４０から開始するものとしても良い。
【００６７】
通信装置２０の制御部２４は、保持している識別情報を暗号化して情報送受信部２３に供給し、無線信号としてアンテナ３３から送信する。通信装置４０は、アンテナ３３から送信された無線信号をアンテナ３４で受信して、受信情報信号を情報送受信部４３に供給する。情報送受信部４３は、通信装置２０から供給された暗号化されている識別情報を制御部４４に供給する。制御部４４は、登録されている鍵情報に基づいて復号化を行い、得られた識別情報と登録されている識別情報を照合する。ここで、識別情報が一致したときは、正しい通信装置からの無線信号であると判別して、アクノリッジ信号を無線信号としてアンテナ３４から送信させる。
【００６８】
通信装置２０は、アンテナ３４から送信された無線信号をアンテナ３３で受信して、受信情報信号を情報送受信部２３に供給する。情報送受信部２３は、通信装置４０から供給されたアクノリッジ信号を制御部２４に供給する。
【００６９】
次に、通信装置４０の制御部４４は、保持している識別情報を暗号化して情報送受信部４３に供給し、無線信号としてアンテナ３４から送信する。通信装置２０は、アンテナ３４から送信された無線信号をアンテナ３３で受信して、受信情報信号を情報送受信部２３に供給する。情報送受信部２３は、通信装置４０から供給された暗号化されている識別情報を制御部２４に供給する。制御部２４は、登録されている鍵情報に基づいて復号化を行い、得られた識別情報と登録されている識別情報を照合する。ここで、識別情報が一致したときは、正しい通信装置からの無線信号であると判別して、アクノリッジ信号を無線信号としてアンテナ３３から送信させる。
【００７０】
通信装置４０は、アンテナ３３から送信された無線信号をアンテナ３４で受信して、受信情報信号を情報送受信部４３に供給する。情報送受信部４３は、通信装置２０から供給されたアクノリッジ信号を制御部４４に供給する。
【００７１】
このようにして認証動作を行い、登録された通信装置との無線通信であると通信装置２０，４０が判別したときには、通信装置２０から通信装置４０に対して映像信号を無線信号として送信する。また、登録された通信装置との無線通信であると通信装置２０が判別していないとき、すなわち識別情報の送信に対するアクノリッジ信号の供給がないときや識別情報が一致しないことを示す応答信号が供給されたときは、通信装置２０から映像信号をアンテナ３１から無線信号として送信することを禁止する。同様に、登録された通信装置との無線通信であると通信装置４０が判別していないときは、アンテナ３２で無線信号を受信して得られた受信信号を廃棄したり、映像表示装置５０への信号の出力を禁止する。
【００７２】
また、認証結果に応じて通信装置２０が映像信号出力装置１０の動作を制御するものとしても良い。すなわち、登録された通信装置との無線通信であると判別したときには、映像信号を映像信号出力装置１０から出力させる。また、登録された通信装置との無線通信であると判別されないときには、映像信号を映像信号出力装置１０から出力させないものとする。同様に、認証結果に応じて通信装置４０が映像表示装置５０の動作を制御するものとしても良い。
【００７３】
このように、上述の形態によれば、装置の登録は、映像信号の通信のために予め設けられている有線インタフェースを介して行われることから、識別情報が誤って他の装置に登録されてしまうことを確実に防止して、所望の通信装置間で正しく無線通信を行うことができる。
【００７４】
また、第１の無線信号としてミリ波帯のように高い周波数を用いる場合、通信装置２０と通信装置４０間で双方向通信を可能とすると、第１の無線信号の周波数帯に対応した受信部を設け、通信装置４０に第１の無線信号の周波数帯に対応した送信部を設けなければならないため、通信装置２０，４０が高価となってしまう。しかし、第２の無線信号として第１の無線信号よりも低い周波数帯を用いることで、第２の無線信号で双方向通信を行う情報送受信部が安価となり、通信装置２０，４０を安価に構成できる。
【００７５】
さらに、有線インタフェースを介して識別情報と鍵情報が通信装置２０，４０で交換されることから、他の装置に鍵情報が漏れてしまうことを防止できる。したがって、認証に用いる識別情報を暗号化して無線信号として送信することにより、所望の通信装置と異なる通信装置で識別情報が受信されても暗号化されていることから、識別情報の秘匿性を高めることができる。従って、暗号化されている識別情報が受信されても、復号化を行うことができるのは正しい鍵情報を有している所望の通信装置だけであるので、所望の通信装置と異なる通信装置との接続が確立されてしまうことを確実に防止できる。
【００７６】
また、有線インタフェースとして、コンテンツ信号出力装置とコンテンツ提示装置を接続するために設けられたディジタルインタフェースを用いることで、識別情報や鍵情報の交換のためのインタフェースを新たに設ける必要がない。このため、通信装置２０，４０を安価に構成できる。
【産業上の利用可能性】
【００７７】
以上のように、本発明にかかるコンテンツ通信システムと通信装置および認証方法は、コンテンツ信号の無線通信を行う場合に有用であり、送信先を限定するような無線通信に好適である。
【図面の簡単な説明】
【００７８】
【図１】コンテンツ通信システムの構成を示すブロック図である。
【図２】映像送信側の通信装置の構成を示すブロック図である。
【図３】映像受信側の通信装置の構成を示すブロック図である。
【図４】装置登録動作における通信装置の接続状態を示すブロック図である。
【図５】装置登録動作を示すフローチャートである。
【図６】装置登録動作を示すシーケンス図である。
【図７】一方の通信装置における認証動作を示すフローチャートである。
【図８】他方の通信装置における認証動作を示すフローチャートである。
【図９】認証動作を示すシーケンス図である。
【符号の説明】
【００７９】
１０・・・映像信号出力装置、２０，４０・・・通信装置、２１，４２・・・インタフェース部、２２・・・送信部、２３，４３・・・情報送受信部、２４，４４・・・制御部、３１，３２，３３，３４・・・アンテナ、３５・・・ケーブル、４１・・・受信部、５０・・・映像表示装置、２２１・・・送信信号処理部、２２２・・・送信処理部、２３１，４３１・・・情報信号処理部、２３２，４３２・・・送受信処理部、４１１・・・受信処理部、４１２・・・受信信号処理部
【図１】
2005244476.tif 000003
【図２】
2005244476.tif 000004
【図３】
2005244476.tif 000005
【図４】
2005244476.tif 000006
【図５】
2005244476.tif 000007
【図６】
2005244476.tif 000008
【図７】
2005244476.tif 000009
【図８】
2005244476.tif 000010
【図９】
2005244476.tif 000011